(57)【要約】本発明は、自動車の風防ガラスの縁領域と結合するための第１結合領域（１６）を有し、かつ風防ガラスに隣接する部品に結合するための第２結合領域（２０）を有する異形材料（１４）でできた異形帯材（１２）を備える、異形帯材構成体（１０）に関する。これにより、第１結合領域（１６）は異形材料（１４）のない、少なくとも一つの表面部分（５８）を有し、この自由表面部分（５８）は金属製の付加要素（６２）の表面（６０）又は付加要素（６２）の被覆面によって形成される。【選択図】図１
2019509931.tif 000002
【特許請求の範囲】
【請求項１】
自動車の風防ガラス（１８）の縁領域（４２）と結合するための第１結合領域（１６）を有し、かつ前記風防ガラス（１８）に隣接する部品に結合するための第２結合領域（２０）を有する、異形材料（１４）でできた異形帯材（１２）を備え、
前記第１結合領域（１６）は、前記異形材料（１４）の存在しない少なくとも一つの自由表面部分（５８）を有し、前記自由表面部分（５８）は、金属製の付加要素（６２）の表面（６０）又は付加要素（６２）の被覆面によって形成されることを特徴とする、
異形帯材構成体（１０）。
【請求項２】
前記第１結合領域（１６）は、前記風防ガラス（１８）の前記縁領域（４２）の内側（４８）と相互作用する下結合部（５０）を有するか、前記第１結合領域（１６）は、前記風防ガラス（１８）の前記縁領域（４２）の面（４６）と相互作用する横結合部（５２）を有するか、前記第１結合領域（１６）は、前記風防ガラス（１８）の前記縁領域（４２）の外側（４４）と相互作用する上結合部（５４）を有するか、の少なくともいずれか一つであり、かつ前記少なくとも一つの自由表面部分（５８）は、前記下結合部（５０）と前記横結合部（５２）と前記上結合部（５４）の少なくとも一つに配置されることを特徴とする、請求項１に記載の異形帯材構成体（１０）。
【請求項３】
前記自由表面部分（５８）は前記風防ガラス（１８）の縁領域（４２）に対向することを特徴とする、請求項１又は請求項２に記載の異形帯材構成体（１０）。
【請求項４】
前記第２結合領域（２０）は、前記風防ガラス（１８）に隣接する部品、特に空気取り込みパネルのラッチ要素を受けるためのＵ字型又はＶ字型の受け空間（２２）を有することを特徴とする、請求項１〜請求項３のいずれか一項に記載の異形帯材構成体（１０）。
【請求項５】
前記付加要素（６２）は前記自由表面部分（５８）にのみ延在することを特徴とする、請求項１〜請求項４のいずれか一項に記載の異形帯材構成体（１０）。
【請求項６】
前記付加要素の底部並びに上部は、前記付加要素の一部分の領域が異形材料（１４）で覆われる、請求項１〜請求項４のいずれか一項に記載の異形帯材構成体（１０）。
【請求項７】
前記一部分は、少なくとも前記付加要素の自由端（６８）又は前記第２結合領域（２０）のいずれか一方に対向する前記付加要素の一部（７０）によって形成されることを特徴とする、請求項６に記載の異形帯材構成体（１０）。
【請求項８】
前記異形帯材（１２）は、前記第１結合領域（１６）と前記第２結合領域（２０）を相互に結合する中央部（２４）を有し、かつ前記付加要素は前記中央部（２４）に、特に複数の穿孔（７２）の形態をした複数の開口を有することを特徴とする、請求項１〜請求項７のいずれか一項に記載の異形帯材構成体（１０）。
【請求項９】
前記付加要素は、前記異形帯材（１２）を強化する補強インサート（３２、４０）で形成されることを特徴とする、請求項１〜請求項８のいずれか一項に記載の異形帯材構成体（１０）。
【請求項１０】
前記自由表面部分（５８）の少なくとも部分領域は、前記風防ガラス（１８）の前記縁領域（４２）へ接着結合するための接着部（６４）によって覆われることを特徴とする、請求項１〜請求項９のいずれか一項に記載の異形帯材構成体（１０）。
【請求項１１】
前記接着部（６４）は両面接着テープ（６６）の形態であることを特徴とする、請求項１０に記載の異形帯材構成体（１０）。
【請求項１２】
前記異形帯材（１２）と前記付加要素（６２）は互いに別々に製造されてから結合されることを特徴とする、請求項１〜請求項１１のいずれか一項に記載の異形帯材構成体（１０）の製造方法。
【請求項１３】
前記異形帯材（１２）の前記異形材料（１４）は押出成形され、前記付加要素（６２）は前記異形材料（１４）の前記押出成形時に導入され、かつ前記異形材料（１４）は、前記付加要素（６２）に結合されるときに少なくとも特定の部分において固化する、ことを特徴とする、請求項１〜請求項１１のいずれか一項に記載の異形帯材構成体（１０）の製造方法。
【発明の詳細な説明】
【技術分野】
【０００１】
本発明は、自動車の風防ガラスの縁領域と結合するための第１結合領域を有し、かつ風防ガラスに隣接する部品に結合するための第２結合領域を有する、異形材料でできた異形帯材を備える異形帯材構成体に関する。
【背景技術】
【０００２】
上記の種類の異形帯材構成体は、例えば独国実用新案第２０２００８０１３１３３（Ｕ１）号明細書に開示されている。当該実用新案は、風防ガラスの背面への異形帯材の取り付けに結合帯材を使用し、それにより簡単、迅速かつ費用対効果の高い結合の形成を提案している。結合帯材の一例は、独国特許出願第１０２０１２１１２６６３（Ａ１）号明細書に開示された種類の両面接着テープである。
【０００３】
別の改良が独国特許出願第１０２００８００３２５２（Ａ１）号明細書から公知である。この出願では、両面接着テープの使用のみならず、異形帯材と風防ガラスの間の可能な最大の結合を行うために自由流動状態で塗布された接着部の使用も提案している。
【０００４】
別の改良が独国特許出願第１０２０１２１１２６７４（Ａ１）号明細書に開示されている。この出願では、接着テープの剥離を防止するために、前端部領域において両面接着テープを追加の接着ビーズに一体的に接合することが提案されている。
【発明の概要】
【発明が解決しようとする課題】
【０００５】
上記の構成は実施するには高価すぎることが分かっている。このような背景のもとに、本発明は、上記の種類の異形帯材構成体を費用対効果の高い製造が可能となるように改良することを目的としている。
【課題を解決するための手段】
【０００６】
この目的は、第１結合領域が、異形材料の存在しない、少なくとも一つの表面部分を有し、それによって、金属製の付加要素の表面又は付加要素の被覆面によって自由表面部分が形成される、本発明により達成される。
【０００７】
本発明によれば、第１結合領域において異形材料のない表面部分が提供される。一般的に知られるように、異形材料はプラスチック材料であり、たとえば、ポリ塩化ビニル（ＰＶＣ）、ポリ塩化ビニルとポリ（アクリロニトリル−ｃｏ−ブタジエン−ｃｏ−スチレン）（ＰＶＣ／ＡＢＳ）混合物、又はポリプロピレン（ＰＰ）のプラスチック材料である。特にポリプロピレンは異形帯材構成体では、丈夫で耐性のあることがわかっている。ただし異形材料は、風防ガラス又は間に位置する結合層に対して一体接合を形成する場合には、最適特性を有さない。
【０００８】
本発明によれば異形材料のない表面部分領域において、異なる材料で作られた表面が提供される。異なる材料で作られたこの表面の担体は、金属製の付加要素である。
【０００９】
付加要素は具体的には、第１結合領域の少なくとも一部分に配置される平坦体である。
【００１０】
本発明によれば、付加要素は金属、特にスチール若しくはスチール合金、又はアルミニウム若しくはアルミニウム合金で作られている。そのような金属付加要素は、異形材料よりも優れた接着性を示す。
【００１１】
付加要素の表面を、異形材料のない表面部分領域に配置される表面とすることが可能である。ただし、付加要素が被覆されることも同様に可能である。この場合、異形材料のない表面部分が、被覆材料でできた表面によって形成されて、付加要素で支持される。被覆は、例えば保護層又は連結層であってよい。
【００１２】
異形帯材の第１結合領域と風防ガラスの縁領域との間に簡単かつ強力な結合を達成するために、第１結合領域が風防ガラスの縁領域の内側と相互作用する下結合部を有するか、第１結合領域が風防ガラスの縁領域の面と相互作用する横結合部を有するか、第１結合領域が風防ガラスの縁領域の外側と相互作用する上結合部を有するか、の少なくともいずれか一つであり、かつ、少なくとも一つの自由表面部分が下結合部と横結合部と上結合部の少なくとも一つに配置されることが好ましい。好適な実施形態において、風防ガラスの縁領域の内側と相互作用する、少なくとも一つの下結合部が提供される。この下結合部は、異形帯材と風防ガラスの縁領域の内側との間に比較的大表面積を有する強固な結合を形成可能にする。
【００１３】
ただし、これに加えて又はこれに代えて、第１結合領域の横結合部に自由表面部分を備えることも可能である。
【００１４】
風防ガラスの縁領域へいわゆるＵ字型結合をする異形帯材の場合には特に、第１結合領域の上結合部が備えられる。このＵ字型結合においては、横結合部と共に下結合部及び上結合部もあり、下結合部と上結合部が「Ｕ」の脚を形成して、風防ガラスの縁領域の周りを包み込む。
【００１５】
自由表面部分が風防ガラスの縁領域に対向する場合、異形帯材と風防ガラスの間の特に簡単でコンパクトな結合選択肢が生成される。
【００１６】
風防ガラスに隣接する部品、特に空気取り込みパネルのラッチ要素、を受けるために、第２結合領域内のＵ字型又はＶ字型をした受け空間を有する異形帯材に対して、本発明による異形帯材構成体は特に好適である。そのような第２結合領域は、例えば欧州特許出願公開第２１２３４９７（Ａ１）号明細書に開示されている。
【００１７】
付加要素を第１結合領域にのみ配置して、自由表面部分だけに延在させることが可能である。このように、異形材料と風防ガラスとの一体接合のよりよい前条件を生成するには、比較的小さくて作りやすい、付加要素で十分である。
【００１８】
ただし、付加要素の上部と共に底部も、付加要素の一部分の領域で異形材料によって覆われることが好ましい場合がある。そのような付加要素はしたがって、少なくとも一つの部分領域において付加要素が異形帯材の異形材料に固着される。
【００１９】
上記の一部分は、具体的には、少なくとも付加要素の自由端又は第２結合領域に対向する付加要素部分のいずれか一方であってよい。結果として、付加要素は異形材料から外れないように最適に保護される。
【００２０】
本発明の別の好適な実施形態においては、異形帯材は、第１結合領域と第２結合領域を相互に結合する中央部を有し、かつ付加要素は中央部に、特に複数の穿孔の形態をした複数の開口を有するようになっている。これにより、異形帯材の異形材料への付加要素の更に最適化された固着が可能となる。
【００２１】
特に好適な実施形態においては、付加要素は、異形帯材を強化する補強インサートで形成される。そのような補強インサートは、金属、具体的にはスチール若しくはスチール合金、又はアルミニウム若しくはアルミニウム合金で作られた薄膜又はシートを備えることができる。補強インサートを付加要素として使用して補強インサート面を第１結合領域で露出させることが、特に簡単で費用対効果の高い異形帯材構成体の製造を可能とする。
【００２２】
第１結合領域と風防ガラスの間に一体接合を形成するために、自由表面部分の少なくとも部分領域が接着剤で覆われ、それが風防ガラスの縁領域への接着結合を生成する目的を果たす接着部で覆われることが提案される。接着部は、その後で風防ガラスの縁領域に結合するために、付加要素表面上に塗布された自由流動接着剤であってもよい。
【００２３】
接着部は両面接着テープの形態であることが特に好ましい。本発明による異形材料のない表面部分の露出により、この領域に接着テープを適用することが可能であり、その接着特性は付加要素表面と風防ガラスの縁領域に関する最適化のみが必要であって、異形帯材の異形材料に対する接着性に関する最適化は必要がない。これにより、単純かつ安価な接着テープの使用が可能となる。
【００２４】
本発明はまた、前述したようなタイプの異形帯材構成体の費用対効果の高い製造が可能となる方法を提供することも目的としている。
【００２５】
この目的は、異形帯材及び付加要素が互いに別々に製造され、その後で一緒に接合、特に互いに、少なくとも接着又はプレスのいずれか一方を施されることで達成される。
【００２６】
この目的はまた、異形帯材の材料が押出成形され、異形材料の押出成形時に付加要素が導入され、かつ異形材料は付加要素に結合されたときに少なくとも特定の部分において固化することによって達成される。
【００２７】
本発明による方法の実施形態及び利点を既に上で部分的に述べた。このために、上記の説明を以下の追加とともに参照する。
【００２８】
異型帯材と付加要素をそれぞれ別々に製造した後にこれらの部品を結合することは、付加要素が自由表面部分にのみ延在する異形帯材構成体には特に好適である。
【００２９】
異形材料の押出工程中に付加要素が導入される場合、この付加要素は特に金属材料製の連続的な異型押出成形物であり、これにより、連続押出成形物が異形材料と共に押出ダイを通過する。そうして付加要素が異形帯材と共に連続プロセスで製造可能である。
【００３０】
本発明の更なる特徴及び利点は、以下の説明及び好適な実施形態の例示的図面の主題である。
【図面の簡単な説明】
【００３１】
【図１】付加要素を有する異形帯材を含む、異形帯材構成体の第１の実施形態の側面図である。
【図２】接着部をさらに含む、図１の異形帯材構成体の図である。
【図３】風防ガラスをさらに含む、図２の異形帯材構成体の図である。
【図４】補強インサートの形態をした、少なくとも一つの付加要素を含む、異形帯材構成体の別の実施形態の側面図である。
【図５】異形帯材構成体の別の実施形態の側面図である。
【図６】異形帯材構成体の別の実施形態の側面図である。
【図７】図６による異形帯材構成体の補強インサートの斜視図である。
【図８】異形帯材構成体の別の実施形態の側面図である。
【図９】Ｕ字型構成の第１結合部のある異形帯材を有する、異形帯材構成体の別の実施形態の側面図である。
【発明を実施するための形態】
【００３２】
図１〜図６、並びに図８と図９に示す異形帯材構成体は、その全体を参照番号１０で表す。異形帯材構成体１０のそれぞれは、異形材料１４でできた異形帯材１２を備える。異形材料１４はプラスチックであり、たとえば、ポリ塩化ビニル（ＰＶＣ）、ポリ塩化ビニルとポリ（アクリロニトリル−ｃｏ−ブタジエン−ｃｏ−スチレン）（ＰＶＣ／ＡＢＳ）混合物、又は特にポリプロピレン（ＰＰ）である。
【００３３】
異形帯材１２はそれぞれ、風防ガラス１８へ結合をするための第１結合領域１６（図３及び図４参照）と、風防ガラス１８に隣接する部品、特に空気取り込みパネルへ異形帯材１２を結合させるための第２結合領域２０とを有する。そのような部品は、例えば欧州特許出願公開第２１２３４９７（Ａ１）号明細書に開示されており、風防ガラスに隣接する部品の異形材料１２への取り付けを可能とするために、第２結合領域２０のＵ字型又はＶ字型の受け空間２２に係止するラッチ要素を有する。
【００３４】
異形帯材１２のそれぞれは、第１結合領域１６と第２結合領域２０を結合するための中央部２４を有する。
【００３５】
異形帯材１２が、異形材料１４とは異なる材料でできた、付加的な機能部分を持つことは可能である。そのような機能部分は、例えば第２結合領域２０を車両部品上に支持する支持部２６であってもよい。また例えば、第２結合領域２０に係合するラッチ要素２８であってもよい。また、風防ガラス及び風防ガラスに隣接する部品に対して密閉接触するためのシール要素３０であってもよい。
【００３６】
異形帯材１２が、第１結合領域１６と第２結合領域２０の間でその長さに沿って補強インサート３２によって補強されることも可能であり、かつ好ましい。補強インサート３２は特に、スチール、スチール合金、アルミニウム又はアルミニウム合金でできた、異形平坦体である。
【００３７】
また、補強インサートが結合領域１６又は結合領域２０の一つにのみ、排他的に係合することも可能である（図９の補強インサート３４、３６を参照）。
【００３８】
さらに、シール要素３０を配置する場合には、シール要素３０を担持する、異形帯材１２の担体部３８が同様に補強インサート４０で補強されることが好ましい。
【００３９】
風防ガラス１８が自動車に設置されるとき、風防ガラスには異形帯材１２の第１結合領域１６と相互作用する下縁領域４２がある。縁領域４２には、外側４４、面４６及び内側４８がある（図３及び図４参照）。
【００４０】
異形帯材１２の第１結合領域１６は、風防ガラス１８の縁領域４２の内側４８と相互作用する、少なくとも下結合部５０を有する。風防ガラス１８の縁領域４２の面４６と相互作用する、横結合部５２をさらに備えることも可能である。
【００４１】
また、風防ガラス１８の縁領域４２の外側４４と相互作用する上結合部５４を提供することも可能である（図９参照）。
【００４２】
第１結合部１６においては、異形帯材１２は異形材料１４のない表面部分５８を有する。この表面部分５８は、付加要素６２の表面６０によって形成されるか、又はそうでなければ、異形材料１４の代わりに付加要素６２の被覆面によって形成される。
【００４３】
風防ガラス１８の縁領域４２が第１結合領域１６に配置されている状態では、表面６０が縁領域４２に面する。面６０が下結合部５０上にある場合には、面６０は風防ガラスの縁領域４２の内側４８に面する（図１〜図６及び図８参照）。面６０が横結合部５２上にある場合には、面６０は風防ガラス１８の縁領域４２の面４６に面する（図４及び図９参照）。面６０が上結合部５４上にある場合（図９参照）には、面６０は風防ガラス１８の縁領域４２の外側４４に面する。
【００４４】
図１〜図３の付加要素６２は、異形帯材構成体１０の補強インサート３２、４０とは別に設けられる付加要素であり、補強インサート３２、４０から距離をおいて配置される。この付加要素６２は自由表面部分５８にのみ延在する。
【００４５】
付加要素６２は特に平坦面要素である。この平坦要素は金属材料、特にスチール若しくはスチール合金、又はアルミニウム若しくはアルミニウム合金でできている。付加材料６２そのもの、あるいは付加要素６２の被覆が面６０を形成する場合があり得る。
【００４６】
付加要素６２と、風防ガラス１８の縁領域４２との間の一体接合を生成するために、特に両面接着テープ６６の形態をした接着部６４が設けられる。接着テープ６６は互いに対向する両接着面を有する。第１接着面は、付加要素６２の面６０と相互作用し、第１接着面の反対側の第２接着面は風防ガラス１８の縁領域４２の内側４８と相互作用する。
【００４７】
異形帯材１２が補強インサート３２、４０を持たないこともあり得る。少なくとも一つの補強インサート３２、４０がある場合、少なくともその補強インサート３２又は補強インサート４０のいずれか一方が付加要素６２を形成することが好ましく、また異形帯材１２が別に提供される付加要素６２を持たないことが好ましい。そのような構成が図４〜図６、図８及び図９に示されている。
【００４８】
例えば、異形帯材１２の材料１４内に埋め込まれた補強インサート３２が設けられる（図４参照）。表面部分５８では、補強インサート３２、又は補強インサート３２の被覆の表面６０が露出し、補強インサート３２又は補強インサート３２の被覆の表面に、接着部６４、特に両面接着テープ６６を設けることができる。
【００４９】
補強インサート３２の自由端６８の頂部と底部が異形材料１４によって覆われ、したがって補強インサート３２の少なくとも部分領域が異形帯材１２の異形材料１４内に固着されることが好ましい。このことは、第２結合領域２０に面する、補強インサート３２の部分７０にも同様に当てはまる。
【００５０】
図４に示す実施形態において、異形材料１４の厚さは、断面方向に見た場合、下結合部５０の長さ方向に沿って変化する。
【００５１】
同様に、結合部５０の材料厚さが変化しないことも可能である。それにより補強インサート３２が同時に付加要素として使用される（図５、図６及び図８参照）。
【００５２】
図５に示す実施形態では、付加要素６２を構成する補強インサート３２がまっすぐな面に延在し、この領域では片側だけが異形材料１４で覆われる。補強インサート３２の異形材料１４内への固着を改良するために、補強インサート３２が複数の穿孔７２を有するようにしてもよい。その結果、異形材料１４が補強インサート３２内へ貫通する可能性が生まれる（図６及び図７参照）。好ましくは、複数の穿孔７２は異形帯材１２の中央部２４に係合する。
【００５３】
付加要素を構成する補強インサート３２が異形帯材１２の材料１４に固着される別の好適な方法は、第２結合領域２０に面する、補強インサート３２の少なくとも自由端６８又は部分７０のいずれか一方の底部並びに上部が、異形材料１４で覆われることである（図８参照）。この場合、補強インサート３２が自由端６８から部分７０までの全長に亘って異形材料１４で覆われるのではなく、むしろ自由表面部分５８の底部でだけ異形材料１４で覆われるように、付加要素６２を形成することができる。これは例えば、補強インサート３２が自由端６８と部分７０との間の長さで隆起し、底部の反対側の、補強インサート３２の上部が、異形材料１４のない表面６０を形成することで実現できる。こうして、補強インサート３２がこの領域で付加要素６２を構成し、これが好ましくは両面接着テープ６６の配置、又は両面接着テープ６６の貼り付けに役立つ。
【００５４】
補強インサート３２が、少なくとも結合部５０、５２又は５４のいずれか一方の全長に亘って、異形材料１４のない表面６０を形成することも可能である（図９参照）。ここで一例として、横結合部５２は完全に異形材料１４がなく、接着部６４の配置に役立つ。そのような場合には、異形帯材１２の少なくとも一つの隣接部、例えば、少なくとも下結合部５０又は上結合部５４のいずれか一方において、補強インサート３２が埋め込まれることが好ましい。
【図１】
2019509931.tif 000003
【図２】
2019509931.tif 000004
【図３】
2019509931.tif 000005
【図４】
2019509931.tif 000006
【図５】
2019509931.tif 000007
【図６】
2019509931.tif 000008
【図７】
2019509931.tif 000009
【図８】
2019509931.tif 000010
【図９】
2019509931.tif 000011
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
異形材料（１４）からなる異形帯材（１２）を備え、
前記異形帯材（１２）は、自動車の風防ガラス（１８）の縁領域（４２）と結合するための第１結合領域（１６）、および前記風防ガラス（１８）に隣接する部品に水受けカバーの形で結合される第２結合領域（２０）を有し、
前記第１結合領域（１６）は、前記異形材料（１４）の存在しない少なくとも一つの自由表面部分（５８）を有し、
前記自由表面部分（５８）は前記風防ガラス（１８）の前記縁領域（４２）に対向し、
前記自由表面部分（５８）の少なくとも部分領域は、前記風防ガラス（１８）の前記縁領域（４２）への接着結合をもたらす両面接着テープ（６６）の形態を取る接着部（６４）によって覆われ、
前記異形帯材（１２）の前記第１結合領域（１６）の前記自由表面部分（５８）は、金属製の付加要素（６２）の表面（６０）又は付加要素（６２）の被覆面によって形成されることを特徴とする、
異形帯材構成体（１０）。
【請求項２】
前記第１結合領域（１６）は、前記風防ガラス（１８）の前記縁領域（４２）の内側（４８）と相互作用する下結合部（５０）を有するか、前記第１結合領域（１６）は、前記風防ガラス（１８）の前記縁領域（４２）の面（４６）と相互作用する横結合部（５２）を有するか、前記第１結合領域（１６）は、前記風防ガラス（１８）の前記縁領域（４２）の外側（４４）と相互作用する上結合部（５４）を有するか、の少なくともいずれか一つであり、かつ前記少なくとも一つの自由表面部分（５８）は、前記下結合部（５０）と前記横結合部（５２）と前記上結合部（５４）の少なくとも一つに配置されることを特徴とする、請求項１に記載の異形帯材構成体（１０）。
【請求項３】
前記第２結合領域（２０）は、前記風防ガラス（１８）に隣接する部品、特に空気取り込みパネルのラッチ要素を受けるためのＵ字型又はＶ字型の受け空間（２２）を有することを特徴とする、請求項１又は請求項２に記載の異形帯材構成体（１０）。
【請求項４】
前記付加要素（６２）は前記自由表面部分（５８）にのみ延在することを特徴とする、請求項１〜請求項３のいずれか一項に記載の異形帯材構成体（１０）。
【請求項５】
前記付加要素の底部並びに上部は、前記付加要素の一部分の領域が異形材料（１４）で覆われる、請求項１〜請求項３のいずれか一項に記載の異形帯材構成体（１０）。
【請求項６】
前記一部分は、少なくとも前記付加要素の自由端（６８）又は前記第２結合領域（２０）のいずれか一方に対向する前記付加要素の一部（７０）によって形成されることを特徴とする、請求項５に記載の異形帯材構成体（１０）。
【請求項７】
前記異形帯材（１２）は、前記第１結合領域（１６）と前記第２結合領域（２０）を相互に結合する中央部（２４）を有し、かつ前記付加要素は前記中央部（２４）に、特に複数の穿孔（７２）の形態をした複数の開口を有することを特徴とする、請求項１〜請求項６のいずれか一項に記載の異形帯材構成体（１０）。
【請求項８】
前記付加要素は、前記異形帯材（１２）を強化する補強インサート（３２、４０）で形成されることを特徴とする、請求項１〜請求項７のいずれか一項に記載の異形帯材構成体（１０）。
【国際調査報告】
2019509931.tif 000012
2019509931.tif 000013
2019509931.tif 000014
2019509931.tif 000015